(57)【要約】【課題】２線式有線リモコンにおける大幅な消費電力の低減を行うことで、システム全体の待機時消費電力の低減を図ることを目的とする。【解決手段】機器２が待機状態になった時に前記リモコン８への電源供給を停止し、リモコン８の電力消費をゼロにしてシステム全体の待機時消費電力の削減を行う。【選択図】図１
2005269850.tif 000002
【特許請求の範囲】
【請求項１】
機器本体及びリモコンへ電力を供給する主電源部と、前記主電源の入り切りを制御する主電源制御部と、前記主電源制御部に電力を供給する副電源部とを備え、前記機器本体が電力を必要としなくなったときに、主電源を切り状態にして消費電力を低減する電源制御システム。
【請求項２】
機器本体及びリモコンへ電力を供給する主電源部と、前記主電源の入り切りを制御する主電源制御部と、前記主電源制御部に電力を供給する副電源部とを備え、前記リモコンからの指示により、主電源を切り状態にして消費電力を低減する電源制御システム。
【請求項３】
機器本体及びリモコンへ電力を供給する主電源部と、前記主電源の入り切りを制御する主電源制御部と、前記主電源制御部に電力を供給する副電源部とを備え、前記機器本体が電力を必要としなくなり、且つ前記リモコンからの指示があるときに、主電源を切り状態にして消費電力を低減する電源制御システム。
【請求項４】
機器本体及びリモコンへ電力を供給する主電源部と、前記主電源の入り切りを制御する主電源制御部と、前記主電源制御部に電力を供給する副電源部とを備え、前記主電源が切り状態のときに、前記機器本体の状態変化に応じて前記主電源制御部が前記主電源を入りにする電源制御システム。
【請求項５】
機器本体及びリモコンへ電力を供給する主電源部と、前記主電源の入り切りを制御する主電源制御部と、前記主電源制御部に電力を供給する副電源部とを備え、前記主電源が切り状態のときに、前記機器リモコンの操作に応じて前記主電源制御部が前記主電源を入りにする電源制御システム。
【発明の詳細な説明】
【技術分野】
【０００１】
本発明は、機器の待機時の消費電力を低減する電源制御システムに関するものである。
【背景技術】
【０００２】
従来、この種の消費電力を低減させる電源制御システムでは、赤外線受光部等の間欠駆動を行うことにより消費電力の低減を行っている（例えば、特許文献１参照）。
【０００３】
また、太陽電池等で蓄電部品に充電し、その電力を待機回路に供給することにより、消費電力の低減を行っているものがある（例えば、特許文献２参照）。
【特許文献１】特開平１１−２８５０８６号公報
【特許文献２】特開２０００−３０８２５５号公報
【発明の開示】
【発明が解決しようとする課題】
【０００４】
しかしながら、前記従来の構成では、２線式の有線リモコンに対応する場合、リモコン側のマイコン等への電源供給には不適切であり、リモコンでの電力消費を無くすことができないので、大幅な消費電力の低減を行うことができない、という課題を有していた。
【０００５】
本発明は、前記従来の課題を解決するもので、２線式の有線リモコンに対応する場合、待機時にリモコンで消費する電力をゼロにする電源制御システムを提供することを目的とする。
【課題を解決するための手段】
【０００６】
前記従来の課題を解決するために、本発明の電源制御システムは、機器が待機状態になった時に前記リモコンでの電力消費をゼロにするようにしたものである。
【０００７】
これによって、機器全体で消費する電力の大幅な削減ができる。
【発明の効果】
【０００８】
本発明の電源制御システムは、機器が待機状態になったときのリモコンで消費する電力をゼロにすることができ、機器全体の待機時消費電力を大幅に低減させることができる。
【発明を実施するための最良の形態】
【０００９】
第１の発明は、機器本体及びリモコンへ電力を供給する主電源部と、前記主電源の入り切りを制御する主電源制御部と、前記主電源制御部に電力を供給する副電源部とを備え、前記機器本体が電力を必要としなくなったときに、主電源を切り常態にすることにより、機器の待機時消費電力を低減させることができる。
【００１０】
第２の発明は、機器本体及びリモコンへ電力を供給する主電源部と、前記主電源の入り切りを制御する主電源制御部と、前記主電源制御部に電力を供給する副電源部とを備え、前記リモコンからの指示により、主電源を切り常態にすることにより、機器の待機時消費電力を低減させることができる。
【００１１】
第３の発明は、機器本体及びリモコンへ電力を供給する主電源部と、前記主電源の入り切りを制御する主電源制御部と、前記主電源制御部に電力を供給する副電源部とを備え、前記機器本体が電力を必要としなくなり、且つ前記リモコンからの指示があるときに、主電源を切り常態にすることにより、機器の待機時消費電力を低減させることができる。
【００１２】
第４の発明は、機器本体及びリモコンへ電力を供給する主電源部と、前記主電源の入り切りを制御する主電源制御部と、前記主電源制御部に電力を供給する副電源部とを備え、前記主電源が切り状態のときに、前記機器本体の状態変化に応じて前記主電源制御部が前記主電源を入りにすることにより、消費電力を低減させた待機状態から動作状態に復帰させることができる。
【００１３】
第５の発明は、機器本体及びリモコンへ電力を供給する主電源部と、前記主電源の入り切りを制御する主電源制御部と、前記主電源制御部に電力を供給する副電源部とを備え、前記主電源が切り状態のときに、前記機器リモコンの操作に応じて前記主電源制御部が前記主電源を入りにすることにより、消費電力を低減させた待機状態から動作状態に復帰させることができる。
【００１４】
以下、本発明の実施の形態について、図面を参照しながら説明する。なお、本実施の形態によって本発明が限定されるものではない。
【００１５】
（実施の形態１）
図１は、本発明の実施の形態における電源制御システムの構成図を示すものである。
【００１６】
図１において、１は商用電源、２は機器本体を示している。商用電源１に接続された主電源部３は機器本体２とリモコン８へ電力を供給する。また、商用電源１に接続された副電源部４は、主電源制御部５へ電力を供給している。主制御部６は、主電源部３から電源の供給を受け、主電源部３が動作しているときのみ、機器本体２の制御や、主電源制御部５の制御を行うことができる。７は第１のインターフェイスで、主電源部３からの電力をリモコン８へ供給すると共に、主制御部６とリモコン８との間でのデータ通信の信号の伝達、そしてリモコン８と主電源制御部５との信号の伝達も行う。９は第２のインターフェイスで、第１のインターフェイスからの電源の受け取りと、主制御部６との間でのデータ通信の信号の伝達、そしてスイッチ１０の信号を主電源制御部５に伝達する。１１はリモコン制御部で、リモコン機能の入力手段であるスイッチ１０の信号取り込みや、機器本体２の状態などを表示する表示制御や、報知音などを発生させる報知部の制御などの制御を行う。
【００１７】
以上のように構成された電源制御システムについて、以下その動作、作用を説明する。
【００１８】
まず、機器本体２が待機状態になり、電力を必要としなくなったときには、主制御部６が主電源制御部５に主電源部３からの電力供給を停止する指令を出して、主電源部３からの電力供給が停止すると同時に、主制御部６の機能が停止する。この時点で機能しているのは、副電源部４と主電源制御部５のみで、主電源部３からの電力供給が停止しているので、リモコン８にも電力は供給していないので、消費電力は最小の状態になっている。この消費電力が最小になる条件は、上記のように主制御部６が判断してもよいし、リモコン８のリモコン制御部１１が判断してもよいし、リモコン８の操作入力によることも可能である。主電源部３からの電力供給が停止している状態から、動作状態に復帰する条件としては、この時点で機能している主電源制御部５に接続されたセンサー、例えばバイメタルスイッチ（図示せず）等でもよいし、リモコン８に内蔵されているスイッチ１０の操作に従ってもよい。
【００１９】
しかしながら、動作状態に復帰するか否かを判断するために電力を消費していては、消費電力低減の効果が減少するので、上記のようなバイメタルスイッチや、メカニカルなスイッチ１０が最適である。
【００２０】
スイッチ１０による復帰のメカニズムを、図２で詳細に説明すると、主電源部３の停止はリレー接点１０１が開放状態で、このリレー接点１０１以降へは電力の供給は行われない。この状態から、スイッチ１０の接点を短絡させた場合、副電源部４は機能しているので、抵抗１０８、ダイオード１０７を介して電流が流れることにより、トランジスタ１０３がＯＮし、トランジスタ１０３のコレクタから電流が供給されることにより、トランジスタ１０４がＯＮしてリレーコイル１０２に通電される。リレーコイル１０２に通電されると、リレー接点１０１が閉状態になって主制御部６に電力が供給され、主制御部６からの信号によってトランジスタ１０５がＯＮし、スイッチ１０が押し続けられているのと同様の状態となり、主電源部３の電源供給は継続する。主電源部３からの電力供給を停止するときは、その条件を主制御部６が判断してトランジスタ１０５をＯＦＦにすればよい。
【００２１】
ここでは、説明の簡素化のために単純な回路としたが、電源供給のタイミングを整えるために、多少の遅延回路やバックアップ回路等を付加すれば安定した回路となる。
【００２２】
以上のように、本実施の形態においては、機器本体及びリモコンへ電力を供給する主電源部と、前記主電源の入り切りを制御する主電源制御部と、前記主電源制御部に電力を供給する副電源部とを備え、待機状態になったとき等で前記機器本体やリモコンが電力を必要としなくなったときに、主電源を切り常態にすることにより、機器本体やリモコンでの電力消費をゼロにしてシステム全体の消費電力を大幅に低減させることができる。
【産業上の利用可能性】
【００２３】
以上のように、本発明にかかる電源制御システムは、機器が待機状態になったときのリモコン及び機器本体で消費する電力の大幅な削減ができ、システム全体の待機時消費電力を低減させることができるので、設備機器、ビル管理システム、工場管理システム等の用途にも適用できる。
【図面の簡単な説明】
【００２４】
【図１】本発明の実施の形態１における電源制御システムのブロック図
【図２】同電源制御システムにおけるスイッチによる復帰回路を示す図
【符号の説明】
【００２５】
１  商用電源
２  機器本体
３  主電源部
４  副電源部
５  主電源制御部
６  主制御部
８  リモコン
１０  スイッチ
【図１】
2005269850.tif 000003
【図２】
2005269850.tif 000004